【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
入力光を生成する光源と、
少なくとも第１色光を抽出するために前記光源から放射される前記入力光の透過及び反射の少なくとも一方を行うための前記光源と動作的に結合されたカラースプリッタと、
前記カラースプリッタと動作的に結合され、且つモータ及びプリズムを含む第１カラースキャナであり、前記第１カラースキャナが、入力として前記第１色光を受信し、前記モータが前記プリズムを回転させ、且つ前記第１色光を走査するために前記プリズムと結合される当該第１カラースキャナと、
いつ前記第１色光の走査が始まるべきかを含む前記第１色光の走査に対するタイミング情報を示す基準位相信号を生成する基準位相生成器と、
前記第１色光に対する走査の開始時における前記プリズムの角度位置を示すセンサ信号を生成するセンサ手段と、
前記基準位相生成器及び前記センサ手段と動作的に結合された位相検出器であって、前記基準位相信号及び前記センサ信号を受信し、前記第１色光に対する前記走査の開始時における前記センサ信号における表示が前記基準位相信号により示される第１色光の前記走査の開始時と一致するように信号を生成する当該位相検出器と、
を有する、スクリーン上に画像を表示するスクロールするカラープロジェクタであって、
前記センサ手段が、前記モータの逆起電力信号を検知するように構成され、前記逆起電力信号が、前記第１色光に対する前記走査の開始時における前記プリズムの角度位置を示すことを特徴とする、スクロールするカラープロジェクタ。
【請求項２】
前記プリズムが、前記逆起電力信号が前記第１色光に対する前記走査の開始時を示すゼロ交差を有するように前記モータと結合される、請求項１に記載のスクロールするカラープロジェクタ。
【請求項３】
前記スクロールするカラープロジェクタが、
前記位相検出器及び前記モータと動作的に結合されたモータドライバであって、前記モータ逆起電力のゼロ交差が前記基準位相信号により示される前記第１色光の走査の開始時と一致するように前記モータの位相を変化させるために前記位相検出器に応答するモータドライバ、
を有する、請求項２に記載のスクロールするカラープロジェクタ。
【請求項４】
前記スクロールするカラープロジェクタが、
前記カラースプリッタと動作的に結合され、且つモータ及びプリズムを含む第２カラースキャナであり、入力として第２色光を受信する前記第２カラースキャナであって、前記第２カラースキャナの前記モータが、前記第２色光を走査するために前記第２カラースキャナの前記プリズムを回転させる、当該第２カラースキャナと、
いつ前記第２色光の走査が始まるべきかを含む前記第２色光の走査に対するタイミング情報を示す第２基準位相信号を生成する第２基準位相生成器と、
前記第２カラースキャナの前記モータと結合された第２モータ逆起電力センサであり、前記第２カラースキャナの前記モータの逆起電力を示す第２モータ逆起電力信号を生成する前記第２モータ逆起電力センサであって、前記プリズムが、前記第２モータ逆起電力信号のゼロ交差が前記第２色光に対する走査の開始時を示すように前記モータと結合される、当該第２モータ逆起電力センサと、
前記第２基準位相生成器及び前記モータ逆起電力センサと結合された第２位相検出器であって、前記第２基準位相信号及び前記第２モータ逆起電力信号を受信し、且つ前記第２逆起電力信号のゼロ交差が前記基準位相信号により示される前記第２色光の走査の開始時と一致するような信号を生成する当該第２位相検出器と、
を有する、請求項３に記載のスクロールするカラープロジェクタ。
【請求項５】
前記スクロールするカラープロジェクタが、
前記カラースプリッタと動作的に結合され、且つモータ及びプリズムを含む第３カラースキャナであり、入力として前記入力光の第３色を受信する前記第３カラースキャナであって、前記第３カラースキャナの前記モータが、前記スクリーン上の前記第３色光を走査するために前記第３カラースキャナの前記プリズムを回転させる、当該第３カラースキャナと、
いつ前記第３色光の走査が始まるべきかを含む前記第３色光の走査に対するタイミング情報を示す第３基準位相信号を生成する第３基準位相生成器と、
前記第３カラースキャナの前記モータと結合された第３モータ逆起電力センサであり、前記第３モータ逆起電力センサが、前記第３カラースキャナの前記モータの前記逆起電力を示す第３モータ逆起電力信号を生成し、第３モータ逆起電力信号のゼロ交差が前記第３色光に対する走査の開始時を示す、当該第３モータ逆起電力センサと、
前記第３基準位相生成器及び前記モータ逆起電力センサと結合された第３位相検出器であって、前記第３基準位相信号及び前記第３モータ逆起電力信号を受信し、且つ前記第３逆起電力信号のゼロ交差が前記基準位相信号により示される前記第３色光の走査の開始時と一致するように信号を生成する当該第３位相検出器と、
を有する、請求項４に記載のスクロールするカラープロジェクタ。
【請求項６】
前記スクロールするカラープロジェクタが、前記位相検出器及び前記モータの各々と動作的に結合されたモータドライバを有し、前記モータドライバが、前記第１、第２、及び第３色光の前記走査をビデオ信号と位相調整するために前記位相検出器に応答する、請求項５に記載のスクロールするカラープロジェクタ。
【請求項７】
前記スクロールするカラープロジェクタが、前記基準位相生成器と動作的に結合された光弁を有し、前記光弁が、タイミング情報を含むビデオ基準位相信号を受信し、且つ前記ビデオ基準位相信号に従ってその上のビデオ信号を走査する、請求項１に記載のスクロールするカラープロジェクタ。
【請求項８】
前記モータが、前記モータと結合された前記プリズムの幾何学的対称性に対応する磁気対称性を持つ、請求項１に記載のスクロールするカラープロジェクタ。
【請求項９】
前記プリズムが四角形プリズムであり、前記モータが４つの磁極対を持つ、請求項１に記載のスクロールするカラープロジェクタ。
【請求項１０】
スクロールするカラープロジェクタのためのスキャナ位相コントローラであり、前記スキャナ位相コントローラが、色光スキャナのプリズムにより供給される光の縞の走査の位相をディスプレイに供給されるビデオ信号と整合するように構成され、前記プリズムは、走査の開始が前記第１色光に対する走査の開始時における前記プリズムの角度位置を示すセンサ信号と一致するようにモータと結合され、前記スキャナ位相コントローラが、
前記モータと動作的に結合された位相検出器であって、第１入力として前記プリズムの前記角度位置を示す前記信号を受信し、また第２入力として前記光の縞の走査に対するタイミング情報を示す基準位相信号を受信する当該位相検出器を有し、
前記プリズムの前記角度位置を示す前記信号が、前記モータの逆起電力を示す信号であり、前記スキャナ位相コントローラが、前記基準位相信号が前記光の縞の走査の開始時を示す場合に、前記モータの前記位相が、前記モータの逆起電力を示す信号の値がゼロになるように変化されるように構成される、スキャナ位相コントローラ。
【請求項１１】
前記モータが、前記モータと結合された対応するプリズムの幾何学的対称性に対応する磁気対称性を持つ、請求項１０に記載のスキャナ位相コントローラ。
【請求項１２】
前記プリズムが四角形プリズムであり、前記モータが４つの磁極対を持つ、請求項１０に記載のスキャナ位相コントローラ。